(57)【要約】【課題】  本発明は、周囲との干渉を抑制できる冷却装置を提供する。【解決手段】  冷却装置１０は、水Ｗを吸い込み吐出するポンプ２０と、ポンプ２０を水Ｗに対して浮いた状態に支持可能な浮き部４０と、ポンプ２０の吐出口２２に連通してポンプ２０によって吐出された水Ｗを外気に排出する排出部３０とを備える。【選択図】図１
2012062641.tif 000002
【特許請求の範囲】
【請求項１】
液体を吸い込み吐出するポンプと、
前記ポンプを前記液体に対して浮いた状態に支持可能な浮き部と、
前記ポンプの吐出口に連通して前記ポンプによって吐出された前記液体を外気に排出する排出部と
を具備することを特徴とする冷却装置。
【請求項２】
前記排出部は、
前記ポンプの前記吐出口に連通する流路部であって、前記液体がためられる貯留部に前記浮き部によって前記ポンプが浮いた状態において前記液体の液面より出て外気側に前記液体を導く流路部と、
前記流路部に設けられて、前記液体を外気に散布するノズルと
を具備することを特徴とする請求項１に記載の冷却装置。
【請求項３】
前記浮き部は、
前記ポンプを収容する収容部と、
浮き部本体と
具備することを特徴とする請求項１または２に記載の冷却装置。
【請求項４】
前記浮き部本体は、環状に形成され、
前記収容部は、前記浮き部本体の内側に設けられる
ことを特徴とする請求項３に記載の冷却装置。
【請求項５】
前記収容部は、前記ポンプの周囲を覆うとともに前記ポンプの周方向に連続する形状であって、前記浮き部本体の内側を通って外部に出る突出部を有する
ことを特徴とする請求項４に記載の冷却装置。
【請求項６】
前記浮き部本体の周縁部と前記突出部の先端部とに連結されて、前記周縁部と前記先端部とを直線状に結ぶガイド部を具備する
ことを特徴とする請求項５に記載の冷却装置。
【請求項７】
前記収容部には、前記液体がためられる貯留部に前記浮き部が浮いた状態において前記液面の外に開口する、前記ポンプを出し入れ可能な収容口が形成される
ことを特徴とする請求項３〜６のうちいずれか１項に記載の冷却装置。
【発明の詳細な説明】
【技術分野】
【０００１】
本発明は、例えばプールに貯められる水を冷却する冷却装置に関する。
【背景技術】
【０００２】
従来、プール内に貯められた水を冷却する冷却装置が提案されている。この冷却装置は、プール内の水を吸い込んで散水する。散水された水は、空中で気化する際に熱が奪われることによって温度が下がった後、再びプールに戻る。このことによって、プール内に貯められた水の温度が低下する。
【０００３】
この種の冷却装置は、プールの底壁やプール側壁に固定される（例えば、特許文献１参照）。
【先行技術文献】
【特許文献】
【０００４】
【特許文献１】実用新案登録第３１３０７８７号公報
【発明の概要】
【発明が解決しようとする課題】
【０００５】
特許文献１に開示される冷却装置は、例えばプール内に人がいない状態で使用される。一方、プール内を清掃するために、例えば定期的に、プール内に人がいない状態においてプール内を清掃するロボットが用いられる。この清掃用ロボットは、プールに水がはられた状態においてプール内を走行しながらプール底面を清掃する。
【０００６】
上記された清掃用のロボットと特許文献１に開示される冷却装置とが同時に用いられる場合、清掃用のロボットは、冷却装置にぶつかることがないように、その動作が考慮されなければならない。
【０００７】
このように、冷却装置とともに清掃用ロボットなどを同時に用いる場合、この同時に用いられる装置（清掃用ロボット）は、冷却装置との干渉を避けるためにその動作が考慮される必要がある。
【０００８】
本発明は、周囲との干渉を抑制できる冷却装置を提供することを目的とする。
【課題を解決するための手段】
【０００９】
本発明の冷却装置は、液体を吸い込み吐出するポンプと、前記ポンプを前記液体に対して浮いた状態に支持可能な浮き部と、前記ポンプの吐出口に連通して前記ポンプによって吐出された前記液体を外気に排出する排出部とを備える。
【発明の効果】
【００１０】
本発明によれば、周囲との干渉を抑制できる冷却装置を提供できる。
【図面の簡単な説明】
【００１１】
【図１】本発明の一実施形態に係る冷却装置が、水が貯められたプールに設置された状態を示す断面図。
【図２】図１に示された冷却装置が分解された状態を示す斜視図。
【図３】図２に示された浮き部を、Ｆ３の方向から見た状態を示す斜視図。
【図４】図３に示された浮き部を上方から見た状態を示す平面図。
【図５】図３に示された浮き部を下方から見た状態を示す下面図。
【発明を実施するための形態】
【００１２】
本発明の一実施形態に係る冷却装置を、図１〜５を用いて説明する。図１は、冷却装置１０が、水Ｗが貯められたプール１２に設置されている状態を示している。図２は、冷却装置１０が分解された状態を示す斜視図である。
【００１３】
図１，２に示すように、冷却装置１０は、水Ｗを吸い込んで吐出する機能を有するポンプ２０と、ポンプ２０が吐出した水Ｗを外気に排出する排出部３０と、ポンプ２０をプール１２に貯められた水Ｗに対して浮いた状態に支持する浮き部４０とを備えている。水Ｗは、本発明で言う液体の一例である。プール１２は、本発明で言う貯留部の一例である。
【００１４】
ここで冷却装置１０の上下方向Ｖを説明する。冷却装置１０の上下方向Ｖは、図１に示すように、冷却装置１０が、液面が水平（重力に作用する方向に垂直な面）なプール１２に設置された状態（浮かんだ状態）において重力の作用する方向に平行である。そして、重力の作用する方向に進んだ側を下側、反対側を上側とする。後述される、ポンプ２０と、排出部３０と、浮き部４０との各々の上下方向は、冷却装置１０の上下方向Ｖと同じである。
【００１５】
ポンプ２０は、水Ｗを吸い込んで吐出する機能を有する。本実施形態では、ポンプ２０は、例えば外観が円筒形状であって上下方向Ｖに長い形状である。ポンプ２０の下端部には、吸込口２１が形成されている。ポンプ２０の上端部には、吐出口２２が設けられている。
【００１６】
排出部３０は、ポンプ２０の吐出口２２に連通しており、ポンプ２０によって吐出された水Ｗを外気に排出する機能を有する。排出部３０は、一端が吐出口２２に連結される流路管３１と、流路管３１の他端に連結されるノズル３５とを備えている。流路管３１の上下方向Ｖにそう長さＬ１については、後で具体的に説明する。流路管３１は、本発明で言う流路部の一例である。
【００１７】
浮き部４０は、プール１２に貯められた水Ｗに対してポンプ２０を浮いた状態に支持する機能を有している。なお、本発明で言う浮いた状態とは、貯留部（一例、プール１２）の底面１５から離れた状態で浮いた状態である。このため、ポンプ２０が貯留部にためられた液体（一例、水Ｗ）の液面上に浮いた状態と、ポンプ２０が貯留部にためらえた液体中に浮いた状態とを含む概念である。
【００１８】
図３は、図２に示された浮き部４０を、Ｆ３の方向から見た状態を示す斜視図である。図３は、冷却装置１０を下方から見た状態を示す斜視図である。図２，３に示すように、浮き部４０は、ポンプ２０を収容する収容部４１と、冷却装置１０を水Ｗに対して浮いた状態に保つ浮力を有する浮き部本体４５と、ガイド部５０とを備えている。
【００１９】
図１，２に示すように、収容部４１は、内側にポンプ２０の全体を収容する大きさを有している。収容部４１は、ポンプ２０の周囲を覆う周壁部４２を有するとともに周壁部４２がポンプ２０の周方向につながる形状である。そして、周壁部４２は、上下方向Ｖに延びており両端が開口する。収容部４１は、ポンプ２０の上下方向Ｖの一端から他端を内側に収容する長さを有している。本実施形態では、周壁部４２は、一例として、円筒である。
【００２０】
図１に示すように、ポンプ２０の上端には、周方向外側に突出するフランジ２３が形成されている。収容部４１の上端に形成される開口４３は、後述される上壁４７に形成される収容口４９に連通する。ポンプ２０は、収容口４９を通って収容部４１内に収容される。フランジ２３は、収容口４９の縁部に当接する大きさを有している。フランジ２３が収容口４９の縁部に当接することによって、ポンプ２０は、収容部４１に支持される。
【００２１】
なお、収容口４９の縁は、上下方向Ｖに垂直な方向に延びている。また、上記したようにフランジ２３は、ポンプ２０の上端に形成されているので、フランジ２３が収容口４９の縁に当接した状態では、ポンプ２０の全体は、収容部４１内に収容される。また、ポンプ２０は、収容部４１内に収容されて支持された状態において、吸込口２１が収容部４１の下端と上下方向Ｖに同じ位置に配置される。または、吸込口２１は、収容部４１の下端と上下方向Ｖに略同じ位置に配置される。
【００２２】
図１に示すように、浮き部本体４５は、内側に収容部４１を配置するとともに、収容部４１の周方向に環状に形成される。図４は、浮き部４０を上方から見た状態を示す平面図である。図５は、浮き部４０を下方から見た状態を示す下面図である。図４，５に示すように、浮き部本体４５の平面形状は、円である。浮き部本体４５は、外筒４６と、上壁４７と、下壁４８とを有している。
【００２３】
外筒４６は、内側に収容部４１を収容する。外筒４６は、上下方向Ｖに延びるとともに上下端が開口する形状である。外筒４６は、本実施形態では、一例として、円筒であり、収容部４１と同軸に配置されている。上壁４７は、外筒４６の上端と収容部４１（周壁部４２）の上端との間を液密に塞いでいる。上壁４７は、収容部４１の開口４３に連通する収容口４９が形成されている。収容口４９と開口４３とは、ポンプ２０を収容部４１に出し入れ可能な大きさである。外筒４６の上下方向Ｖにそう長さＬ２は、収容部４１（周壁部４２）の下側部分４４が外筒４６の下端よりも下方に出る（突出する）ように設定されている。下壁４８は、外筒４６の下端と収容部４１の周面との間を液密に塞いでいる。下側部分４４は、本発明で言う突出部の一例である。
【００２４】
浮き部４０は、上記の構造によって、収容部４１の下側部分４４が浮き部本体４５から突出する。また、ポンプ２０が収容部４１内に収容された状態において、ポンプ２０は、その下端部が浮き部本体４５の下端４５ａよりも下方に出る姿勢で浮き部４０に支持される。
【００２５】
また、浮き部本体４５は、その構成要素の一部として、収容部４１を利用している。収容部４１と、外筒４６と、上壁４７と、下壁４８とによって囲まれる空間６０は、上記したように液密に塞がれている。この空間６０には、水などの液体は収容されておらず例えば空気がためられる。このことによって、浮き部４０は、浮力を得ている。浮き部本体４５の大きさ（空間６０の大きさ）は、冷却装置１０がプール１２にためられた水Ｗに、図１に示すように少なくとも収容口４９が水面１３よりも外側（外気側、つまり上側）に出た状態で浮くことができる浮力が得られ大きさを有している。このため、収容口４９は、液面１３よりも上側に位置して上下方向Ｖに開口している。
【００２６】
なお、本実施形態では、浮き部本体４５は、その構成要素の一部として収容部４１を利用しているが、この構造に限定されない。例えば、収容部４１とは、別に内筒を有して、内筒と外筒４６と上壁４７と下壁４８とで、空間６０を形成し、内筒の内側に収容部４１を入れる構造であってもよい。なお、本実施形態にように、収容部４１が内筒を兼ねる構造であることによって、部品点数を削減することができる。
【００２７】
ガイド部５０は、本実施形態では、一例として、直線状に延びる棒材を用いて形成される。また、棒材の一例として、中空のパイプが用いられている。本実施形態では、４つのガイド部５０が設けられている。
【００２８】
各ガイド部５０（４つのパイプ）は、収容部４１の下端部４１ａと下壁４８の周縁部４８ａにおいて、収容部４１の周方向に等間隔離間した位置Ｐ１，Ｐ２どうしを連結している。位置Ｐ１は、互いに収容部４１回りに９０度離間している。位置Ｐ２は、互いに収容部４１回りに９０度離間している。共通するガイド部５０によって連結される位置Ｐ１，Ｐ２を結ぶ線の延長線は、収容部４１の軸線Ａを通る。軸線Ａは、上下方向Ｖに平行である。図３に示すように、ガイド部５０は、上下方向Ｖに対して斜めに延びている。
【００２９】
また、図１に示すように、各ガイド部５０の周面５０ａの一部は、下端部４１ａの下端４１ｂの周縁４１ｃと下壁４８の周縁部４８ａの周縁４８ｂとに連結されている。言い換えると、周面５０ａは、周縁４１ｃと周縁４８ｂとに連続している。図１に示すように、周面５０ａにおいて周縁４１ｃ,４８ｂに連結する部分は、直線である。
【００３０】
収容部４１と、浮き部本体４５（外筒４６、上壁４７、下壁４８）と、ガイド部５０とは、例えば、塩化ビニル樹脂で形成される既存のパイプ材を用いて構成されている。
【００３１】
つぎに、排出部３０について、具体的に説明する。図１に示すように、排出部３０の流路管３１は、冷却装置１０がプール１２に設置された状態において、ノズル３５が水面１３より外に出る長さを有している。流路管３１の長さＬ１は、例えば、実験などによって求めることができる。
【００３２】
つぎに、冷却装置１０の設置について説明する。まず、浮き部４０をプール１２に入れる。ガイド部５０にロープ１００を結び、このロープ１００の一端部を例えばプール１２の手すり１４に固定する。このことによって、冷却装置１０がプール１２内を移動することを抑制することができる。
【００３３】
浮き部４０の姿勢は、収容部４１の収容口４９が上方に向かって開口する姿勢である。ついで、ポンプ２０を収容口４９から収容部４１内に収容する。ポンプ２０のフランジ２３が収容口４９の縁部４９ａに当接すると、ポンプ２０は、浮き部４０に支持される。このように、ポンプ２０は、上方から収容口４９を通して収容部４１内に入れるだけ、その姿勢が保持される。
【００３４】
ついで、冷却装置１０をプール１２から取り出す作業を説明する。まず、ポンプ２０を、収容口４９を通して上方に引き上げる。ポンプ２０は、フランジ２３が上方から収容口４９の縁部４９ａに当接しているだけであるので、ポンプ２０を引き上げるだけで、ポンプ２０を浮き部４０から取り外すことができる。ついで、浮き部４０をプール１２から取り出す。
【００３５】
つぎに、冷却装置１０の動作を説明する。図１に示すように、冷却装置１０がプール１２に浮いた状態で、ポンプ２０の図示しない動作開始スイッチをオンする。このことによって、ポンプ２０の動作が開始される。
【００３６】
ポンプ２０の吸込口２１によって吸い込まれたプール１２内の水Ｗは、吐出口２２から排出部３０の流路管３１に流入する。流路管３１に流入した水Ｗは、ノズル３５から噴霧される。図中、ノズル３５から噴霧されている水Ｗの外観形状を、１点鎖線で示す。図に示されるように、ノズル３５は、噴霧された水Ｗの外観球状が半球状になるように噴霧する機能を有している。水Ｗは、半球状に噴霧されることによって、外気との接触面積が大きくなり、それゆえ、効率よく気化が行われて温度が低下する。噴霧されて温度が低下した水Ｗは、再びプール１２に戻る。この動作が続けられることによって、プール１２の水Ｗの温度が低下する。
【００３７】
このように構成される冷却装置１０では、ポンプ２０が浮き部４０によってプール１２の底面１５に対して浮いた状態となる。このため、冷却装置１０が、冷却装置１０の周囲と接触するなどの干渉することを抑制することができる。この点について、具体的に説明する。
【００３８】
冷却装置１０は、例えばプール１２内に人がいない状態で用いられる。このとき、同時に、プール１２の底面１５の清掃が行われることがある。プール１２の底面１５の清掃は、プール１２に水Ｗがためられた状態で行われるために、図示しない清掃用ロボットによって行われる。清掃用のロボットは、冷却装置１０にぶつかるなどの干渉しないようにその動作が考慮される必要がある。しかしながら、冷却装置１０は、プール１２に浮いているので、清掃用ロボットは、冷却装置１０にぶつかるなど干渉することがない。このため、冷却装置１０は、周囲と接触するなど干渉することを抑制することができる。
【００３９】
また、ポンプ２０がプール１２にためられた水Ｗに浮く構造であるので、ポンプ２０が吐出した水Ｗを大気まで導く排出部３０をコンパクトにすることができる。
【００４０】
また、排出部３０は、流路管３１とノズル３５とを備える構造を採用したので、排出部３０を簡素な構造にすることができる。
【００４１】
また、浮き部４０は、収容部４１と、浮き部本体４５とを備える構造である。このように、ポンプ２０を収容する収容部４１が確保されることによって、浮き部４０にポンプ２０を設置する作業をスムーズに行うことができる。
【００４２】
また、浮き部本体４５が環状に形成されるとともに、内側に収容部４１が設けられる構造であることによって、浮き部本体４５は、周方向から収容部４１を支持するので、浮いた状態のポンプ２０の姿勢を安定して保持することができる。
【００４３】
また、収容部４１の下側部分４４が浮き部本体４５の下端４５ａよりも下方に出る構造であるので、冷却装置１０においてその重さの大半を占めるポンプ２０の一部を浮き部本体４５よりも下方に配置することができる。このため、浮き部本体４５に対するポンプの重心の相対位置を、下げることができるので、冷却装置１０の姿勢を安定することができる。
【００４４】
また、ガイド部５０によって、冷却装置１０が周囲と干渉することをより一層抑制することができる。この点について具体的に説明する。上記したように、清掃用のロボットが走行する場合、清掃用のロボットには、電力供給用のケーブルが接続されている。このケーブルの他端は、プール１２外に設けられる電源に接続されている。
【００４５】
このため、清掃用のロボットが走行することにともなって、ケーブルは水中を移動する。しかしながら、ガイド部５０は、下壁４８の周縁部４８ａから収容部４１の下端部４１ａに向かって上下方向Ｖに対して斜めに延びている。万が一、清掃用ロボットの走行にともなってケーブルが冷却装置１０に接触する場合であっても、ケーブルは、ガイド部５０にそって、スムーズに冷却装置１０の下方に導かれるので、冷却装置１０に引っかかることがない。このように、ガイド部５０によって、冷却装置１０が周囲と干渉することを抑制することができる。
【００４６】
さらに、各ガイド部５０の周面５０ａは、下端部４１ａの下端４１ｂの周縁４１ｃと周縁部４８ａの周縁４８ｂとに連結されており、周面５０ａが周縁４１ｃ，４８ｂに連続するので、ケーブルなどの障害物を冷却装置１０の下方にスムーズに導くことができる。
【００４７】
また、ガイド部５０が４つ形成されるとともに、収容部４１回り（収容部４１の軸線回り）に等間隔離間して配置されることによって、冷却装置１０に対して多方向から障害物が接近しても、当該障害物は、ガイド部５０によって冷却装置１０の下方に導かれる。
【００４８】
なお、ガイド部５０の数は、４つに限定されるものではない。例えば、５つや６つなどの他の複数形成されてもよい。ガイド部５０が他の複数形勢される場合であっても、本実施形態と同様に収容部４１回りに等間隔離間して配置されると、上記と同様の効果が得られる。また、本実施形態では、ガイド部５０は、パイプ材を用いて形成されている。しかしながら、これに限定されない。例えば、ガイド部５０は、パイプ材ではなく、板部材などで形成されてもよい。
【００４９】
また、収容口４９は、収容部４１の上端に形成されるとともに上方に開口している。このため、浮き部４０にポンプ２０を設置する作業および浮き部からポンプ２０を取り外す作業を、浮き部４０が水Ｗに浮いた状態において行うことができるので、ポンプ２０の取り外し作業を簡単に行うことができる。
【００５０】
また、浮き部４０は、既存のパイプ材を用いて形成されるので、型などを用いて形成することがなく、それゆえ、浮き部４０を安価に形成することができる。
【００５１】
また、本実施形態では、貯留部としてプール１２が用いられたが、貯留部はプールだけに限定されるものではない。例えば、池などであってもよい。また、本実施形態は、貯留部（プール１２）に貯められる液体を水Ｗとしたが、液体は、水Ｗだけ限定されるものではない。例えば、塩水などの他の液体であってもよい。
【００５２】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【符号の説明】
【００５３】
１０…冷却装置、１２…プール（貯留部）、２０…ポンプ、２２…吐出口、３０…排出部、３１…流路管（流路部）、３５…ノズル、４０…浮き部、４１…収容部、４４…下側部分（突出部）、４５…浮き部本体、４９…収容口、５０…ガイド部、Ｗ…水（液体）。
【図１】
2012062641.tif 000003
【図２】
2012062641.tif 000004
【図３】
2012062641.tif 000005
【図４】
2012062641.tif 000006
【図５】
2012062641.tif 000007